(57)【要約】【課題】主容器に小容器を添付したカップ状容器において、製造が容易で、小容器を簡易に主容器に組み付けられ、しかも使い勝手が良好で、デザイン性に優れたカップ状容器を提供すること。【解決手段】主容器の口部に設けて主容器内部を密封する蓋材の裏面に、小容器を取り付けた。主容器はカップ状に成形された樹脂性容器であり、有底で、上部に口部を有し、主内容物を収納している。  蓋材は、主容器の口部の上面に取り付けられ、主容器内部を密封している。また蓋材は適度の力で主容器から剥離され、主容器の口部周縁から取り除かれる。  小容器は内容物を収納した状態で、小容器の口部上面を蓋材に貼り付けて、内部を密封した状態で取り付けられている。  これにより、カップ状容器は、小容器を主容器の内部に組み付けられる。【選択図】図１
2007008546.tif 000002
【特許請求の範囲】
【請求項１】
主容器は、上部に口部を有するカップ状で、前記口部を密閉する蓋材を剥離可能に具え、
前記蓋材の裏面側に、上部に口部を有する小容器の該口部上面を剥離可能に貼り付け、該小容器を前記主容器内部に組み付けたカップ状容器。
【請求項２】
小容器の底部を、主容器内に収納する主内容物の上面位置より下方に位置させ、固形化した前記主内容物の上面に該底部による窪みを形成させる請求項１に記載のカップ状容器。
【請求項３】
小容器の底部で、少なくとも主内容物内に浸漬される部分の形状を所定の横断面に形成した請求項２に記載のカップ状容器。
【請求項４】
小容器の側壁を一部外方に突出させ、該突出部を該小容器の注ぎ口とした請求項３に記載のカップ状容器。
【発明の詳細な説明】
【技術分野】
【０００１】
本発明は、主容器の内部に小容器を具えたカップ状容器に関する。
【背景技術】
【０００２】
従来、容器入りコーヒーゼリーなどでは、コーヒーゼリーにかけるクリームを小容器に収納して容器に組み付けることがある。このような場合小容器を、コーヒーゼリーが収納された主容器の例えば脚部に取り外し可能に取り付け、食べる際に主容器から取り外し、小容器を開封してクリームをコーヒーゼリーにかけていた。
【０００３】
【特許文献１】特開２００１−３３５０３８号公報
【発明の開示】
【発明が解決しようとする課題】
【０００４】
しかしながら小容器を組み付けた容器では、次のような課題を有していた。
【０００５】
主容器と小容器とは個別にそれぞれの内容物を収納し、小容器を主容器の脚部などに組み付けるため、主容器と小容器のそれぞれに他方を組み付ける構造と他方に組み付けられる構造が必要となる。しかも小容器は主容器から容易に取り外すことができ、かつ容器を運搬、保管しているときには誤って外れることがないように適度な強さで固定する必要があり、容器を製造する上において、またその組み付けにおいても手間がかかっていた。
【０００６】
また主容器から小容器を取り外す前に主容器から蓋体を取り外してしまうと、主容器が傾けられなくなり、小容器が主容器から取り外しにくくなるという問題があった。
【０００７】
更に主容器の脚部などに小容器を収納する空間が必要とされ、一方小容器はその空間に組み付ける形状となるため、容器をデザインする上での制約が大きくなるという面があった。
【０００８】
本発明は、上記課題を解決し、小容器を組み合わせたカップ状容器において、小容器を簡易に主容器に組み付けられ、しかも使い勝手が良好で、デザイン性に優れたカップ状容器を提供することを目的とする。
【課題を解決するための手段】
【０００９】
本発明は上記目的を解決するため、主容器に小容器を組み付けたカップ状容器を次のように構成した。
【００１０】
主容器の口部に設けて主容器内を密封する蓋材の裏面に、小容器を取り付けた。主容器はカップ状に成形された樹脂性容器であり、有底で、上部に口部を有している。主容器の横断面形状は、円形に限らず角形、その他の形状でもよい。主容器の口部上縁にはフランジを形成し、口部上面を側方に若干突出させることが好ましい。
【００１１】
蓋材は、薄片状で、材質はアルミ製、樹脂製、紙製、樹脂と紙、樹脂とアルミの積層構造など特に限定しない。
【００１２】
蓋材は、主容器の口部の上面に取り付けられ、主容器内部を密封する。また蓋材は、蓋材を引き上げると適度の力で主容器の口部周縁から剥離される。蓋材を主容器に取り付ける方法は、熱溶着、接着剤による貼り付け、超音波溶着等があり、取り付け方法は特に限定しない。蓋材につまみ片を設けると、主容器に貼り付けられた状態でつまみ片をつまみ、剥離し易くなる。
【００１３】
小容器は有底カップ状の樹脂製容器で、上部に口部を具えている。小容器には主容器内に収納された主内容物に添加するもの、例えばシロップ、クリーム、ソースなどを収納する。尚、小容器に収納するものは液体に限らず、固体、粉体等でもよい。
【００１４】
小容器は、小容器に内容物を収納した状態で、蓋材の裏面に取り付けられている。すなわち、主容器の口部に蓋材を貼着すると、小容器は主容器の内部に設けられる。小容器は、小容器の口部上面を貼り付けた蓋材により、内部が密封されている。小容器を蓋材に取り付ける方法は、蓋材と主容器との取り付け方法と同様、特に限定しない。また小容器に対して蓋材を引き上げると適度の力で蓋材が剥離し、小容器の口部が開口される。
【００１５】
また小容器は、その底部が、主容器の内部において、主容器に収納される主内容物の上面位置より下方に位置するように形成してもよい。更に、小容器の底部で、主内容物の内部に浸漬される箇所を適宜な形状に形成してもよい。例えば小容器の底部を、ハート型、星型、動物の形などに形成し、主内容物が固形化したとき、かかる底部の形状の窪みが主内容物の上面に形成されるようにする。
【００１６】
尚、小容器は、蓋材の中央に取り付けなくともよく、また小容器は一つに限らず複数蓋材に取り付けてもよい。
【発明の効果】
【００１７】
本発明にかかるカップ状容器は、次のような効果を有する。
【００１８】
小容器を主容器の内部に蓋材とともに確実に組み付けることができる。
【００１９】
容器の外観が主容器のみとなり、デザイン性が向上する。
【００２０】
主容器内に収納する主内容物の上面位置より、小容器の底部を下方にした場合には、主内容物が固形化してから小容器を取り外すと、小容器の底部の形状に沿った窪みが主内容物の上面に形成される。例えば主内容物の上面に形成された窪みの内部に、小容器からのクリームを注入させることができる。
【００２１】
小容器の側壁に形成した注ぎ口を用いて、小容器から容易に内容物を注ぎ出すことができる。
【発明を実施するための最良の形態】
【００２２】
図５に、カップ状容器２の全体を示す。カップ状容器２は図４に示すように、主容器４と、主容器４を密閉する蓋材６と、小容器８からなり、主容器４にはゼリー状の主内容物２０が、また小容器８にはクリームなどの液状の内容物２２が収納してある。
【００２３】
主容器４は、樹脂製のカップ状容器であり、上部に口部５が設けてあり、口部５の周縁には側方に延出したフランジ１０が形成してある。
【００２４】
蓋材６は、アルミなどからなる薄片で、側方につまみ片１２を具え、熱溶着等を用いてフランジ１０に貼り付けてある。蓋材６とフランジ１０は、主内容物２０が主容器４の外に漏洩せず、しかも適度な引っ張り力で剥離されるように接着してある。蓋材６の裏面には、図５において点線で示すように小容器８が取り付けてある。
【００２５】
小容器８は、樹脂製のカップ状容器で、上部に口部９が形成してある。小容器８は、熱溶着などを用いて口部９の周縁を蓋材６のほぼ中央に貼り付けて蓋材６の裏面に取り付けてある。口部９と蓋材６とは、小容器８内の内容物が漏洩せず、しかも適度な引っ張り力で剥離されるように接着してある。
【００２６】
次に、カップ状容器２を製品に用いた場合の手順、及び使用方法などについて説明する。
【００２７】
主容器４、蓋材６、小容器８は、それぞれに適した材質とその加工方法により成形する。成形された小容器８の内部にクリームなどの内容物２２を収納し、小容器８を蓋材６の裏面中央に取り付け、内容物２２を小容器８内に密封する。また主容器４には、ゼリーなどの主内容物２０を充填し、小容器８を具えた蓋材６を口部５に貼り付け、主容器４内部を密封する。この状態を図５に示す。
【００２８】
主容器４に充填した直後の主内容物２０は液状であり、蓋材６を口部５に取り付けると小容器８の底部が主内容物２０上面から主内容物２０の内部に浸漬される。主内容物２０は、時間の経過ととともに、あるいは冷却することなどにより主容器４の内部で固形化する。
【００２９】
カップ状容器２は、まずつまみ片１２を用いて蓋材６を主容器４の口部５から取り除く。主容器４は口部５が開放され、小容器８は、蓋材６の裏面に取り付けられた状態で主容器４の内部から取り出される。
【００３０】
小容器８から蓋材６を取り除き、小容器８に収納されている内容物２２を主内容物２０の上にかける。主内容物２０の上面には、小容器８が取り除かれたあとに窪み１４が形成してあるので、内容物２２は、窪み１４の内部に溜められる。
【００３１】
更に小容器８を、図６に示すようにその断面をハート型に形成することにより、窪み１４がハート型に形成され、窪み１４に注いだクリームなどの内容物２２がハート型に満たされる。またハート型の突出した部分により、小容器８の側壁に注ぎ口１１が形成されるので、注ぎ口１１により内容物２２が注ぎ易くなる。
【図面の簡単な説明】
【００３２】
【図１】本発明にかかるカップ状容器を示した断面図である。
【図２】蓋材を外したときのカップ状容器を示した断面図である。
【図３】小容器から内容物を注ぎ入れている状態を示した断面図である。
【図４】カップ状容器の分解斜視図である。
【図５】本発明にかかるカップ状容器を示した斜視図である。
【図６】小容器の他の例を示す図である。
【符号の説明】
【００３３】
２    カップ状容器
４    主容器
５    口部
６    蓋材
８    小容器
９    口部
１０  フランジ
１１  注ぎ口
１２  つまみ片
１４  窪み
２０  主内容物
２２  内容物
【図１】
2007008546.tif 000003
【図２】
2007008546.tif 000004
【図３】
2007008546.tif 000005
【図４】
2007008546.tif 000006
【図５】
2007008546.tif 000007
【図６】
2007008546.tif 000008